(57)【要約】【課題】３原色に対応するサブ画素に加えて、３種類の補色用サブ画素を設ける場合でも、高い生産効率を得ることができる電気光学装置、および電子機器を提供すること。【解決手段】電気光学装置１００では、走査線２の延在方向に配列された第１画素Ｐｘ1、第２画素Ｐｘ2および第３画素Ｐｘ3からなる３つの画素Ｐｘを含む単位画素群ＰＧが走査線２の延在方向およびデータ線３の延在方向に沿って複数配列されている。第１画素Ｐｘ1では、赤色（Ｒ）用、緑色（Ｇ）用、青色（Ｂ）用、黄色（Ｙ）用の第１サブ画素ＳＰ1が走査線２の延在方向に配列されている。第２画素Ｐｘ2では、赤色（Ｒ）用、緑色（Ｇ）用、青色（Ｂ）用、マゼンダ色（Ｍ）用の第２サブ画素ＳＰ2が走査線２の延在方向に配列されている。第３画素Ｐｘ3では、赤色（Ｒ）用、緑色（Ｇ）用、青色（Ｂ）用、シアン色（Ｃ）用の第３サブ画素ＳＰ3が走査線２の延在方向に配列されている。【選択図】図２
2015138217.tif 000002
【特許請求の範囲】
【請求項１】
走査線と、
該走査線と交差する方向に延在するデータ線と、
前記走査線の延在方向に配列された第１画素、第２画素および第３画素を含み、前記走査線の延在方向および前記データ線の延在方向に沿って複数配列された複数の単位画素群と、
を有し、
前記第１画素では、赤色の光を出射する赤色用第１サブ画素、緑色の光を出射する緑色用第１サブ画素、および青色の光を出射する青色用第１サブ画素、および黄色の光を出射する黄色用第１サブ画素が前記走査線の延在方向に配列され、
前記第２画素では、赤色の光を出射する赤色用第２サブ画素、緑色の光を出射する緑色用第２サブ画素、および青色の光を出射する青色用第２サブ画素、およびマゼンダ色の光を出射するマゼンダ色用第２サブ画素が前記走査線の延在方向に配列され、
前記第３画素では、赤色の光を出射する赤色用第３サブ画素、緑色の光を出射する緑色用第３サブ画素、および青色の光を出射する青色用第３サブ画素、およびシアン色の光を出射するシアン色用第３サブ画素が前記走査線の延在方向に配列され、
複数の前記単位画素群のうち、前記データ線の延在方向で隣り合う２つの単位画素群では、前記赤色用第１サブ画素同士、前記緑色用第１サブ画素同士、前記青色用第１サブ画素同士、および前記黄色用第１サブ画素同士が各々、同一のデータ線によって駆動され、前記赤色用第２サブ画素同士、前記緑色用第２サブ画素同士、前記青色用第２サブ画素同士、および前記マゼンダ色用第２サブ画素同士が各々、同一のデータ線によって駆動され、前記赤色用第３サブ画素同士、前記緑色用第３サブ画素同士、前記青色用第３サブ画素同士、および前記シアン色用第３サブ画素同士が各々、同一のデータ線によって駆動されることを特徴とする電気光学装置。
【請求項２】
前記第１画素において、前記赤色用第１サブ画素、前記緑色用第１サブ画素、前記青色用第１サブ画素および前記黄色用第１サブ画素からなる第１サブ画素群のうちのいずれかの第１サブ画素は他の第１サブ画素と平面サイズが相違し、
前記第２画素において、前記赤色用第２サブ画素、前記緑色用第２サブ画素、前記青色用第２サブ画素および前記マゼンダ色用第２サブ画素からなる第２サブ画素群のうちのいずれかの第２サブ画素は他の第２サブ画素と平面サイズが相違し、
前記第３画素において、前記赤色用第３サブ画素、前記緑色用第３サブ画素、前記青色用第３サブ画素および前記シアン色用第３サブ画素からなる第３サブ画素群のうちのいずれかの第３サブ画素は他の第３サブ画素と平面サイズが相違していることを特徴とする請求項１に記載の電気光学装置。
【請求項３】
前記緑色用第１サブ画素は、前記赤色用第１サブ画素、前記青色用第１サブ画素および前記黄色用第１サブ画素より平面サイズが大きく、
前記緑色用第２サブ画素は、前記赤色用第２サブ画素、前記青色用第２サブ画素および前記マゼンダ色用第２サブ画素より平面サイズが大きく、
前記緑色用第３サブ画素は、前記赤色用第３サブ画素、前記青色用第３サブ画素および前記シアン色用第３サブ画素より平面サイズが大きいことを特徴とする請求項２に記載の電気光学装置。
【請求項４】
前記赤色用第１サブ画素、前記赤色用第２サブ画素および前記赤色用第３サブ画素は、平面サイズが等しく、
前記緑色用第１サブ画素、前記緑色用第２サブ画素および前記緑色用第３サブ画素は、平面サイズが等しく、
前記青色用第１サブ画素、前記青色用第２サブ画素および前記青色用第３サブ画素は、平面サイズが等しく、
前記黄色用第１サブ画素、前記マゼンダ色用第２サブ画素および前記シアン色用第３サブ画素は、平面サイズが等しいことを特徴とする請求項１乃至３の何れか一項に記載の電気光学装置。
【請求項５】
前記第１画素において、前記黄色用第１サブ画素は、前記赤色用第１サブ画素および前記緑色用第１サブ画素と隣り合う位置に配置され、
前記第２画素では、前記マゼンダ色用第２サブ画素は、前記赤色用第２サブ画素および前記青色用第２サブ画素と隣り合う位置に配置され、
前記第３画素では、前記シアン色用第３サブ画素は、前記緑色用第３サブ画素および前記青色用第３サブ画素と隣り合う位置に配置されていることを特徴とする請求項１乃至４の何れか一項に記載の電気光学装置。
【請求項６】
一方面側に複数の画素電極、前記走査線および前記データ線が形成された第１基板と、
前記第１基板と対向する面側に共通電極が形成された第２基板と、
前記第１基板と前記第２基板とに挟まれた液晶層と、
平面視で前記複数の画素電極の各々と重なる位置から出射される光の色を規定するカラーフィルターと、
を有することを特徴とする請求項１乃至５の何れか一項に記載の電気光学装置。
【請求項７】
請求項１乃至６の何れか一項に記載の電気光学装置を備えていることを特徴とする電子機器。
【発明の詳細な説明】
【技術分野】
【０００１】
本発明は、補色用のサブ画素を画素に設けた電気光学装置、および当該電気光学装置を備えた電子機器に関するものである。
【背景技術】
【０００２】
液晶装置等の電気光学装置においてガラー画像を表示する場合、複数の画素の各々に、赤色（Ｒ）の光を出射する赤色用サブ画素、緑色（Ｇ）の光を出射する緑色用サブ画素、および青色（Ｂ）の光を出射する青色用サブ画素を設けた構成が採用されるのが一般的である。しかしながら、近年、表示品位を向上するために色再現範囲を拡大することが検討されている。かかる要求に対応することを目的にサブ画素に設けたカラーフィルターの色純度を濃くすることが考えられるが、かかる対応では輝度が低下する。
【０００３】
そこで、１つの画素を格子状に配置した４つのサブ画素によって構成し、赤色用サブ画素、緑色用サブ画素、および青色用サブ画素に加えて、補色用サブ画素を設けた構成が提案されている（特許文献１参照）。
【先行技術文献】
【特許文献】
【０００４】
【特許文献１】特開昭２００６−１４５９８２号公報
【発明の概要】
【発明が解決しようとする課題】
【０００５】
しかしながら、特許文献１に記載の構成のように、赤色用サブ画素、緑色用サブ画素、青色用サブ画素および補色用サブ画素を格子状に配置した場合、カラーフィルター等をサブ画素毎に島状に形成する必要があるため、生産効率が低いという問題点がある。特に、赤色用サブ画素、緑色用サブ画素、および青色用サブ画素に加えて、３種類の補色用サブ画素（黄色用サブ画素、マゼンダ色用サブ画素およびシアン色用サブ画素）を設けた場合に特許文献１に記載の構成を採用すると、生産効率が著しく低下するという問題点がある。
【０００６】
以上の問題点に鑑みて、本発明の課題は、３原色に対応するサブ画素に加えて、３種類の補色用サブ画素を設けた場合でも、高い生産効率を得ることができる電気光学装置、および当該電気光学装置を備えた電子機器を提供することにある。
【課題を解決するための手段】
【０００７】
上記課題を解決するために、本発明に係る電気光学装置は、走査線と、該走査線と交差する方向に延在するデータ線と、前記走査線の延在方向に配列された第１画素、第２画素および第３画素を含み、前記走査線の延在方向および前記データ線の延在方向に沿って複数配列された複数の単位画素群と、を有し、前記第１画素では、赤色の光を出射する赤色用第１サブ画素、緑色の光を出射する緑色用第１サブ画素、および青色の光を出射する青色用第１サブ画素、および黄色の光を出射する黄色用第１サブ画素が前記走査線の延在方向に配列され、前記第２画素では、赤色の光を出射する赤色用第２サブ画素、緑色の光を出射する緑色用第２サブ画素、および青色の光を出射する青色用第２サブ画素、およびマゼンダ色の光を出射するマゼンダ色用第２サブ画素が前記走査線の延在方向に配列され、前記第３画素では、赤色の光を出射する赤色用第３サブ画素、緑色の光を出射する緑色用第３サブ画素、および青色の光を出射する青色用第３サブ画素、およびシアン色の光を出射するシアン色用第３サブ画素が前記走査線の延在方向に配列され、複数の前記単位画素群のうち、前記データ線の延在方向で隣り合う２つの単位画素群では、前記赤色用第１サブ画素同士、前記緑色用第１サブ画素同士、前記青色用第１サブ画素同士、および前記黄色用第１サブ画素同士が各々、同一のデータ線によって駆動され、前記赤色用第２サブ画素同士、前記緑色用第２サブ画素同士、前記青色用第２サブ画素同士、および前記マゼンダ色用第２サブ画素同士が各々、同一のデータ線によって駆動され、前記赤色用第３サブ画素同士、前記緑色用第３サブ画素同士、前記青色用第３サブ画素同士、および前記シアン色用第３サブ画素同士が各々、同一のデータ線によって駆動されることを特徴とする。
【０００８】
本発明では、第１画素、第２画素および第３画素に３原色のサブ画素（赤色用サブ画素、緑色用サブ画素および青色用サブ画素）が設けられている。また、第１画素には、青色と補色関係にある黄色の光を出射する黄色用第１サブ画素が設けられ、第２画素には、緑色と補色関係にあるマゼンダ色の光を出射するマゼンダ色用第２サブ画素が設けられ、第３画素には、赤色と補色関係にあるシアン色の光を出射するシアン色用第３サブ画素が設けられている。このため、色再現範囲を拡大することができる。ここで、第１画素、第２画素および第３画素は単位画素群内で走査線に沿って配置され、第１画素、第２画素および第３画素においてサブ画素が走査線に沿って配置され、同色のサブ画素はデータ線に沿って配列されている。このため、各サブ画素から出射される光の色を規定するカラーフィルター等を形成する際、同色のカラーフィルター等をデータ線に沿って設ければよい。従って、３原色に対応するサブ画素に加えて、３種類の補色用サブ画素を設ける場合でも、高い生産効率を得ることができる。
【０００９】
本発明では、前記第１画素において、前記赤色用第１サブ画素、前記緑色用第１サブ画素、前記青色用第１サブ画素および前記黄色用第１サブ画素からなる第１サブ画素群のうちのいずれかの第１サブ画素は他の第１サブ画素と平面サイズが相違し、前記第２画素において、前記赤色用第２サブ画素、前記緑色用第２サブ画素、前記青色用第２サブ画素および前記マゼンダ色用第２サブ画素からなる第２サブ画素群のうちのいずれかの第２サブ画素は他の第２サブ画素と平面サイズが相違し、前記第３画素において、前記赤色用第３サブ画素、前記緑色用第３サブ画素、前記青色用第３サブ画素および前記シアン色用第３サブ画素からなる第３サブ画素群のうちのいずれかの第３サブ画素は他の第３サブ画素と平面サイズが相違している構成を採用することができる。かかる構成を採用した場合でも、同色のサブ画素はデータ線に沿って配列されている。このため、各サブ画素から出射される光の色を規定するカラーフィルター等を形成する際、同色のカラーフィルター等をデータ線に沿って設ければよい。従って、３原色に対応するサブ画素に加えて、３種類の補色用サブ画素を設ける場合でも、高い生産効率を得ることができる。
【００１０】
本発明において、前記緑色用第１サブ画素は、前記赤色用第１サブ画素、前記青色用第１サブ画素および前記黄色用第１サブ画素より平面サイズが大きく、前記緑色用第２サブ画素は、前記赤色用第２サブ画素、前記青色用第２サブ画素および前記マゼンダ色用第２サブ画素より平面サイズが大きく、前記緑色用第３サブ画素は、前記赤色用第３サブ画素、前記青色用第３サブ画素および前記シアン色用第３サブ画素より平面サイズが大きいことが好ましい。かかる構成によれば、分光特性の優れた緑色用サブ画素の平面サイズが大きいので、品位の高い画像を表示することができる。
【００１１】
本発明において、前記赤色用第１サブ画素、前記赤色用第２サブ画素および前記赤色用第３サブ画素は、平面サイズが等しく、前記緑色用第１サブ画素、前記緑色用第２サブ画素および前記緑色用第３サブ画素は、平面サイズが等しく、前記青色用第１サブ画素、前記青色用第２サブ画素および前記青色用第３サブ画素は、平面サイズが等しく、前記黄色用第１サブ画素、前記マゼンダ色用第２サブ画素および前記シアン色用第３サブ画素は、平面サイズが等しいことが好ましい。かかる構成よれば、第１画素、第２画素および第３画素の平面サイズを等しくすることができる。
【００１２】
本発明では、前記第１画素において、前記黄色用第１サブ画素は、前記赤色用第１サブ画素および前記緑色用第１サブ画素と隣り合う位置に配置され、前記第２画素では、前記マゼンダ色用第２サブ画素は、前記赤色用第２サブ画素および前記青色用第２サブ画素と隣り合う位置に配置され、前記第３画素では、前記シアン色用第３サブ画素は、前記緑色用第３サブ画素および前記青色用第３サブ画素と隣り合う位置に配置されていることが好ましい。かかる構成によれば、混色した光の視野角特性を向上することができる。
【００１３】
本発明において、一方面側に複数の画素電極、前記走査線および前記データ線が形成された第１基板と、前記第１基板と対向する面側に共通電極が形成された第２基板と、前記第１基板と前記第２基板とに挟まれた液晶層と、平面視で前記複数の画素電極の各々と重なる位置から出射される光の色を規定するカラーフィルターと、を有する構成を採用することができる。
【００１４】
本発明に係る電気光学装置は、携帯電話機やモバイルコンピューター、投射型表示装置等の電子機器に用いることができる。
【図面の簡単な説明】
【００１５】
【図１】本発明の実施の形態１に係る電気光学装置の説明図である。
【図２】本発明の実施の形態１に係る電気光学装置全体の電気的構成を示す説明図である。
【図３】本発明の実施の形態１に係る電気光学装置に設けた画素の説明図である。
【図４】本発明の実施の形態２に係る電気光学装置に設けた画素の説明図である。
【図５】本発明の実施の形態３に係る電気光学装置に設けた画素の説明図である。
【図６】本発明を適用した電気光学装置を用いたヘッドマウント・ディスプレイ（ＨＭＤ）の説明図である。
【図７】本発明を適用した電気光学装置を直視型の表示装置として用いた電子機器の説明図である。
【発明を実施するための形態】
【００１６】
以下、本発明の実施の形態を説明する。なお、以下の説明で参照する図においては、各層や各部材を図面上で認識可能な程度の大きさとするため、各層や各部材毎に縮尺を異ならしめてある。また、以下の説明で参照する図においては、走査線、データ線、信号線等の配線等については、それらの数を少なく表してある。
【００１７】
［実施の形態１］
図１は、本発明の実施の形態１に係る電気光学装置の説明図であり、図１（ａ）には、電気光学装置を各構成要素と共に対向基板の側から見た平面構成が示され、図１（ｂ）には、そのＨ−Ｈ′断面が示されている。
【００１８】
図１（ａ）、（ｂ）に示すように、本形態の電気光学装置１００（液晶装置）に用いた液晶パネル１００ｐでは、第１基板１０（素子基板）と第２基板２０（対向基板）とが所定の隙間を介してシール材１０７によって貼り合わされており、シール材１０７は第２基板２０の外縁に沿うように枠状に設けられている。シール材１０７は、光硬化性樹脂や熱硬化性樹脂等からなる接着剤であり、両基板間の距離を所定値とするためのグラスファイバーあるいはガラスビーズ等のギャップ材１０７ａが配合されている。液晶パネル１００ｐにおいて、第１基板１０と第２基板２０との間のうち、シール材１０７によって囲まれた領域内には液晶層５０が設けられており、液晶層５０は、第１基板１０と第２基板２０との間に挟まれている。シール材１０７には、液晶注入口１０７ｃとして利用される途切れ部分が形成されており、かかる液晶注入口１０７ｃは、液晶材料の注入後、封止材１０７ｄによって封止されている。
【００１９】
本形態において、電気光学装置１００はカラー画像の表示用である。このため、液晶層５０のリタデーションは、３原色を構成する赤色（Ｒ）、緑色（Ｇ）および青色（Ｂ）のうち、波長が中間の緑色Ｇの光に対して分光特性が最適となるように設定されている。
【００２０】
かかる構成の電気光学装置１００において、第１基板１０および第２基板２０はいずれも四角形であり、第１基板１０は、Ｙ方向（第２方向）で対向する２つの側面１０ｅ、１０ｆ（端部）と、Ｘ方向（第１方向）で対向する２つの側面１０ｇ、１０ｈ（端部）とを備えている。液晶パネル１００ｐの略中央には、表示領域１０ａが四角形の領域として設けられており、かかる形状に対応して、シール材１０７も略四角形に設けられている。表示領域１０ａの外側は、四角枠状の外周領域１０ｃになっている。
【００２１】
第１基板１０において、表示領域１０ａより外側の外周領域１０ｃには、第１基板１０においてＹ軸方向の一方側に位置する側面１０ｅに沿ってデータ線駆動回路１０１および複数の端子１０２が形成されており、この側面１０ｅに隣接する他の側面１０ｇ、１０ｈの各々に沿って走査線駆動回路１０４が形成されている。端子１０２には、フレキシブル配線基板（図示せず）が接続されており、第１基板１０には、フレキシブル配線基板を介して外部制御回路から各種電位や各種信号が入力される。
【００２２】
第１基板１０の一方面１０ｓおよび他方面１０ｔのうち、第２基板２０と対向する一方面１０ｓの側には、表示領域１０ａに画素電極９や画素スイッチング素子（図示せず）等がマトリクス状に配列されている。かかる構成の第１基板１０において、画素電極９の液晶層５０側には配向膜１６が形成されている。
【００２３】
第１基板１０の一方面１０ｓの側において、外周領域１０ｃのうち、表示領域１０ａとシール材１０７とに挟まれた四角枠状の周辺領域１０ｂには、画素電極９と同時形成されたダミー画素電極９ｂが形成されている。ダミー画素電極９ｂは、隣り合うダミー画素電極９ｂ同士が細幅の連結部（図示せず）で繋がっている。また、ダミー画素電極９ｂは、共通電位Ｖcomが印加されており、表示領域１０ａの外周側端部での液晶分子の配向の乱れを防止する。
【００２４】
第２基板２０の一方面２０ｓおよび他方面２０ｔのうち、第１基板１０と対向する一方面２０ｓの側には共通電極２１が形成されている。共通電極２１は第２基板２０の全面に形成されている。
【００２５】
第２基板２０の一方面２０ｓの側には、共通電極２１に対して液晶層５０とは反対側に遮光層２９が形成され、共通電極２１に対して液晶層５０の側には配向膜２６が形成されている。配向膜１６、２６は、ＳｉＯX（ｘ＜２）、ＳｉＯ2、ＴｉＯ2、ＭｇＯ、Ａｌ2Ｏ3、Ｉｎ2Ｏ3、Ｓｂ2Ｏ3、Ｔａ2Ｏ5等の斜方蒸着膜からなる無機配向膜である。かかる配向膜１６、２６は、例えば、液晶層５０に用いた誘電異方性が負のネマチック液晶化合物を第１基板１０および第２基板２０に対して８６°程度のプレチルト角をもって配向させ、電気光学装置１００をノーマリブラックのＶＡモードとして動作させる。
【００２６】
遮光層２９は、表示領域１０ａの外周縁に沿って延在する額縁部分２９ａとして形成されており、遮光層２９の内周縁によって表示領域１０ａが規定されている。また、遮光層２９は、隣り合う画素電極９により挟まれた画素間領域に重なるブラックマトリクス部２９ｂとしても形成されている。額縁部分２９ａはダミー画素電極９ｂと重なる位置に形成されており、額縁部分２９ａの外周縁は、シール材１０７の内周縁との間に隙間を隔てた位置にある。従って、額縁部分２９ａとシール材１０７とは重なっていない。
【００２７】
また、第２基板２０の一方面２０ｓの側には、共通電極２１に対して液晶層５０とは反対側に画素電極９と平面視で重なるカラーフィルター２７が形成されており、カラーフィルター２７は、後述するサブ画素から出射される光の色を規定する。本形態において、カラーフィルター２７は、ブラックマトリクス部２９ｂによって囲まれた領域に形成されている。なお、第２基板２０においてカラーフィルター２７と共通電極２１との間に保護層（図示せず）が形成されることもある。
【００２８】
本形態において、カラーフィルター２７として、３原色を構成する赤色（Ｒ）、緑色（Ｇ）および青色（Ｂ）のカラーフィルター２７と、赤色（Ｒ）、緑色（Ｇ）および青色（Ｂ）に対する補色（黄色（Ｙ）、マゼンダ色（Ｍ）およびシアン色（Ｃ））のカラーフィルター２７とが形成されている。
【００２９】
電気光学装置１００において、シール材１０７より外側には、第２基板２０の一方面２０ｓの側の４つの角部分に基板間導通用電極２５が形成されており、第１基板１０の一方面１０ｓの側には、第２基板２０の４つの角部分（基板間導通用電極２５）と対向する位置に基板間導通用電極１９が形成されている。本形態において、基板間導通用電極２５は、共通電極２１の一部からなる。基板間導通用電極１９には、共通電位Ｖcomが印加されている。基板間導通用電極１９と基板間導通用電極２５との間には、導電粒子を含んだ基板間導通材１９ａが配置されており、第２基板２０の共通電極２１は、基板間導通用電極１９、基板間導通材１９ａおよび基板間導通用電極２５を介して、第１基板１０側と電気的に接続されている。このため、共通電極２１は、第１基板１０の側から共通電位Ｖcomが印加されている。シール材１０７は、略同一の幅寸法をもって第２基板２０の外周縁に沿って設けられているが、第２基板２０の角部分と重なる領域では基板間導通用電極１９、２５を避けて内側を通るように設けられている。
【００３０】
本形態において、電気光学装置１００は透過型の液晶装置であり、画素電極９および共通電極２１は、ＩＴＯ（Indium Tin Oxide）膜やＩＺＯ（Indium Zinc Oxide）膜等の透光性導電膜により形成されている。かかる透過型の液晶装置（電気光学装置１００）では、例えば、第２基板２０の側から入射した光が第１基板１０の側から出射される間に変調されて画像を表示する。これに対して、共通電極２１を透光性導電膜により形成し、画素電極９をアルミニウム膜等の反射性導電膜により形成すれば、反射型の電気光学装置１００を構成することができる。反射型の電気光学装置１００では、第２基板２０の側から入射した光が第１基板１０で反射して出射される間に変調される。
【００３１】
電気光学装置１００は、モバイルコンピューター、携帯電話機等といった電子機器のカラー表示装置として用いることができる。また、電気光学装置１００では、使用する液晶層５０の種類や、ノーマリホワイトモード／ノーマリブラックモードの別に応じて、偏光フィルム、位相差フィルム、偏光板等が液晶パネル１００ｐに対して所定の向きに配置される。さらに、電気光学装置１００は、投射型表示装置に用いることもできる。
【００３２】
（電気光学装置１００の電気的構成）
図２は、本発明の実施の形態１に係る電気光学装置１００全体の電気的構成を示す説明図である。図３は、本発明の実施の形態１に係る電気光学装置１００に設けた画素の説明図であり、図３（ａ）には、画素を構成するサブ画素が示され、図３（ｂ）には、サブ画素の電気的構成が示されている。
【００３３】
図２および図３（ａ）に示すように、電気光学装置１００の表示領域１０ａには複数の画素Ｐｘが形成されており、複数の画素Ｐｘは各々、複数のサブ画素Ｓｐを備えている。かかるサブ画素Ｓｐは、画素電極９と一対一の関係を有している。本形態において、サブ画素Ｓｐは、縦ｍ行×横ｎ列でマトリクス状に配列されている。ここで、ｍ、ｎは、いずれも自然数である。
【００３４】
表示領域１０ａでは、第１基板１０に形成された複数本（ｍ本）の走査線２がＸ方向に延在しているとともに、第１基板１０に形成された複数本（ｎ本）のデータ線３がＸ方向に対して交差するＹ方向に延在している。また、表示領域１０ａでは、走査線２とデータ線３との交点に対応する位置にサブ画素Ｓｐが構成されている。
【００３５】
図３（ｂ）に示すように、複数のサブ画素Ｓｐの各々には、ＴＦＴ等からなる画素スイッチング素子３０（画素トランジスター）、および画素電極９が形成されている。画素スイッチング素子３０のソースにはデータ線３が電気的に接続され、画素スイッチング素子３０のゲートには走査線２が電気的に接続され、画素スイッチング素子３０のドレインには、画素電極９が電気的に接続されている。各サブ画素Ｓｐにおいて、画素電極９は、図１を参照して説明した第２基板２０に形成された共通電極２１と液晶層５０を介して対向し、液晶容量５０ａを構成している。また、サブ画素Ｓｐには、液晶容量５０ａで保持される画像信号の変動を防ぐために、液晶容量５０ａと並列に保持容量５５が付加されている。本形態では、保持容量５５を構成するために、複数のサブ画素Ｓｐに跨って延びた容量線８（図２および図３（ａ）には図示せず）が形成され、かかる容量線８には共通電位Ｖcomが印加されている。なお、図３（ｂ）においては、容量線８が走査線２と並列して延在しているものとして表されているが、容量線８がデータ線３と並列して延在していてもよい。
【００３６】
再び図２において、電気光学装置１００は、制御回路１５０を有しており、制御回路１５０には、上位装置（図示せず）より、デジタルの画像データＶideoが同期信号に同期して供給される。画像データＶideoとは、電気光学装置１００で画像を表示するときに各画素が表示すべき階調レベルを例えば８ビットで規定するデジタルデータである。同期信号とは、垂直同期信号、水平同期信号、およびクロック信号を含む信号である。
【００３７】
制御回路１５０は、同期信号に基づいて、電気光学装置１００の動作を制御するための制御信号Ｃtrを生成し、これを液晶パネル１００ｐに供給する。制御回路１５０は、画像データＶideoに基づいてアナログの画像信号Ｖidを生成し、これを液晶パネル１００ｐに供給する。画像信号Ｖidは、サブ画素Ｓｐが画像データＶideoの指定する階調を表示するように、サブ画素Ｓｐにおける透過率を規定する電位を示す信号である。
【００３８】
走査線駆動回路１０４は、第１行〜第ｍ行の走査線２を行単位で順次に走査し、選択する。具体的には、走査線駆動回路１０４は、制御信号Ｃtrに基づいて、１フレーム期間において、第１行〜第ｍ行の走査線２のそれぞれに対して出力する走査信号Ｇw［１］〜Ｇw［ｍ］を、水平走査期間毎に順に所定の選択電位に設定することで、走査線２を行単位で順次に選択する。なお、１フレームの期間とは、電気光学装置１００が１カット分の画像を表示するのに要する期間である。
【００３９】
データ線駆動回路１０１は、制御回路１５０より供給される画像信号Ｖidおよび制御信号Ｃtrに基づいて、サブ画素Ｓｐが表示すべき階調を規定するデータ信号Ｖd［１］〜Ｖd［ｎ］を生成するとともに、水平走査期間毎に、ｎ列のデータ線３に出力する。本形態において、制御回路１５０が出力する画像信号Ｖidはアナログの信号であるが、制御回路１５０がデジタルの画像信号を出力する構成であってもよい。この場合、データ線駆動回路１０１において、デジタルの画像信号をＤ／Ａ変換することで、データ信号Ｖd［１］〜Ｖd［ｎ］を生成する。
【００４０】
このように構成した電気光学装置１００において、走査線駆動回路１０４によって選択された走査線２に対応するサブ画素Ｓｐには、データ線駆動回路１０１からデータ線３を介して出力されたデータ信号Ｖd［１］〜Ｖd［ｎ］が書き込まれ、かかるサブ画素Ｓｐは、データ信号Ｖd［１］〜Ｖd［ｎ］に基づいて、照明装置（図示せず）から出射された光を変調する。従って、サブ画素Ｓｐは、データ信号Ｖd［１］〜Ｖd［ｎ］に対応する諧調の光を出射する。同様な動作は、走査線駆動回路１０４による走査線２の走査に連動して、表示領域１０ａの全体で行われ、画像が表示される。
【００４１】
ここで、サブ画素Ｓｐは、画素電極９と一対一の関係を有しており、平面視で画素電極９と重なる領域には各色のカラーフィルター２７が形成されている。従って、表示領域１０ａから出射された光によって、カラー画像が表示される。
【００４２】
（画素Ｐｘの構成）
図２および図３（ａ）において、本形態の電気光学装置１００は、走査線２の延在方向（Ｘ方向）に配列された第１画素Ｐｘ1、第２画素Ｐｘ2および第３画素Ｐｘ3からなる３つの画素Ｐｘを含む単位画素群ＰＧが走査線２の延在方向およびデータ線３の延在方向に沿って複数配列された構成を有している。
【００４３】
第１画素Ｐｘ1、第２画素Ｐｘ2および第３画素Ｐｘ3は、以下に説明するように、３原色を構成する赤色Ｒ、緑色Ｇおよび青色Ｂの光を各々出射する３つのサブ画素Ｓｐを含んでいる。また、第１画素Ｐｘ1、第２画素Ｐｘ2および第３画素Ｐｘ3は各々、赤色Ｒ、緑色Ｇおよび青色Ｂに対して補色の関係を有する色の光を出射する補色用のサブ画素Ｓｐを含んでおり、第１画素Ｐｘ1、第２画素Ｐｘ2および第３画素Ｐｘ3が各々有する補色用のサブ画素Ｓｐは、異なる色の光を出射する。
【００４４】
具体的には、第１画素Ｐｘ1では、赤色（Ｒ）の光を出射する赤色用第１サブ画素Ｓｐ1（Ｒ）、緑色（Ｇ）の光を出射する緑色用第１サブ画素Ｓｐ1（Ｇ）、青色（Ｂ）の光を出射する青色用第１サブ画素Ｓｐ1（Ｂ）、および黄色（Ｙ）の光を出射する黄色用第１サブ画素Ｓｐ1（Ｙ）が走査線２の延在方向に配列されている。本形態において、第１画素Ｐｘ1では、走査線２の延在方向に向かって、赤色用第１サブ画素Ｓｐ1（Ｒ）、緑色用第１サブ画素Ｓｐ1（Ｇ）、青色用第１サブ画素Ｓｐ1（Ｂ）、および黄色用第１サブ画素Ｓｐ1（Ｙ）の順に配列されている。
【００４５】
第２画素Ｐｘ2では、赤色（Ｒ）の光を出射する赤色用第２サブ画素Ｓｐ2（Ｒ）、緑色（Ｇ）の光を出射する緑色用第２サブ画素Ｓｐ2（Ｇ）、青色（Ｂ）の光を出射する青色用第２サブ画素Ｓｐ2（Ｂ）、およびマゼンダ色（Ｍ）の光を出射するマゼンダ色用第２サブ画素Ｓｐ2（Ｍ）が走査線２の延在方向に配列されている。本形態において、第２画素Ｐｘ2では、走査線２の延在方向に向かって、赤色用第２サブ画素Ｓｐ2（Ｒ）、緑色用第２サブ画素Ｓｐ2（Ｇ）、青色用第２サブ画素Ｓｐ2（Ｂ）、およびマゼンダ色用第２サブ画素Ｓｐ2（Ｍ）の順に配列されている。
【００４６】
第３画素Ｐｘ3では、赤色（Ｒ）の光を出射する赤色用第３サブ画素Ｓｐ3（Ｒ）、緑色（Ｇ）の光を出射する緑色用第３サブ画素Ｓｐ3（Ｇ）、青色（Ｂ）の光を出射する青色用第３サブ画素Ｓｐ3（Ｂ）、およびシアン色（Ｃ）の光を出射するシアン色用第３サブ画素Ｓｐ3（Ｃ）が走査線２の延在方向に配列されている。本形態において、第３画素Ｐｘ3では、走査線２の延在方向に向かって、赤色用第３サブ画素Ｓｐ3（Ｒ）、緑色用第３サブ画素Ｓｐ3（Ｇ）、青色用第３サブ画素Ｓｐ3（Ｂ）、およびシアン色用第３サブ画素Ｓｐ3（Ｃ）の順に配列されている。
【００４７】
このような第１画素Ｐｘ1の構成、第２画素Ｐｘ2の構成、および第３画素Ｐｘ3の構成は、走査線２の延在方向およびデータ線３の延在方向に沿って配列された複数の単位画素群ＰＧのいずれでも同様である。
【００４８】
このため、複数の単位画素群ＰＧのうち、データ線３の延在方向で隣り合う２つの単位画素群ＰＧでは、赤色用第１サブ画素Ｓｐ1（Ｒ）同士、緑色用第１サブ画素Ｓｐ1（Ｇ）同士、青色用第１サブ画素Ｓｐ1（Ｂ）同士、および黄色用第１サブ画素Ｓｐ1（Ｙ）同士が各々、同一のデータ線３に接続しており、同一のデータ線３によって駆動される。
【００４９】
また、データ線３の延在方向で隣り合う２つの単位画素群ＰＧでは、赤色用第２サブ画素Ｓｐ2（Ｒ）同士、緑色用第２サブ画素Ｓｐ2（Ｇ）同士、青色用第２サブ画素Ｓｐ2（Ｂ）同士、およびマゼンダ色用第２サブ画素Ｓｐ2（Ｍ）同士が各々、同一のデータ線３に接続しており、同一のデータ線３によって駆動される。
【００５０】
また、データ線３の延在方向で隣り合う２つの単位画素群ＰＧでは、赤色用第３サブ画素Ｓｐ3（Ｒ）同士、緑色用第３サブ画素Ｓｐ3（Ｇ）同士、青色用第３サブ画素Ｓｐ3（Ｂ）同士、およびシアン色用第３サブ画素Ｓｐ3（Ｃ）同士が各々、同一のデータ線３に接続しており、同一のデータ線３によって駆動される。
【００５１】
従って、１本のデータ線３の延在方向に沿って配列されているのは、全て同一の色に対応するサブ画素Ｓｐである、このため、複数のデータ線３は各々、赤色（Ｒ）用のデータ線３（Ｒ）、緑色（Ｇ）用のデータ線３（Ｇ）、青色（Ｂ）用のデータ線３（Ｂ）、黄色（Ｙ）用のデータ線３（Ｙ）、マゼンダ色（Ｍ）用のデータ線３（Ｍ）、およびシアン色（Ｃ）用のデータ線３（Ｃ）のいずれかなっている。また、１本のデータ線３の延在方向に沿って配列されているのは、全て同一の色に対応するカラーフィルター２７である。
【００５２】
また、データ線３は直線状に延在している。このため、同一の色に対応するサブ画素Ｓｐは、データ線３に沿って直線状に配列され、同一の色に対応するカラーフィルター２７はデータ線３に沿って直線状に配列されている。
【００５３】
（サブ画素Ｓｐの平面サイズ）
本形態では、第１画素Ｐｘ1において、赤色用第１サブ画素Ｓｐ1（Ｒ）、緑色用第１サブ画素Ｓｐ1（Ｇ）、青色用第１サブ画素Ｓｐ1（Ｂ）、および黄色用第１サブ画素Ｓｐ1（Ｙ）からなる第１サブ画素群のうちのいずれかの第１サブ画素は他の第１サブ画素と平面サイズが相違している。本形態において、緑色用第１サブ画素Ｓｐ1（Ｇ）は、赤色用第１サブ画素Ｓｐ1（Ｒ）、青色用第１サブ画素Ｓｐ1（Ｂ）および黄色用第１サブ画素Ｓｐ1（Ｙ）より平面サイズが大きい。より具体的には、緑色用第１サブ画素Ｓｐ1（Ｇ）は、赤色用第１サブ画素Ｓｐ1（Ｒ）、青色用第１サブ画素Ｓｐ1（Ｂ）および黄色用第１サブ画素Ｓｐ1（Ｙ）とデータ線３の延在方向の寸法は等しいが、緑色用第１サブ画素Ｓｐ1（Ｇ）の走査線２の延在方向の幅ＷＧは、赤色用第１サブ画素Ｓｐ1（Ｒ）、青色用第１サブ画素Ｓｐ1（Ｂ）および黄色用第１サブ画素Ｓｐ1（Ｙ）の走査線２の延在方向の幅ＷＲ、ＷＢ、ＷＹより広い。なお、赤色用第１サブ画素Ｓｐ1（Ｒ）、青色用第１サブ画素Ｓｐ1（Ｂ）および黄色用第１サブ画素Ｓｐ1（Ｙ）は平面サイズが等しい。
【００５４】
第２画素Ｐｘ2でも、第１画素Ｐｘ1と同様、赤色用第２サブ画素Ｓｐ2（Ｒ）、緑色用第２サブ画素Ｓｐ2（Ｇ）、青色用第２サブ画素Ｓｐ2（Ｂ）、およびマゼンダ色用第２サブ画素Ｓｐ2（Ｍ）からなる第２サブ画素群のうちのいずれかの第２サブ画素は他の第２サブ画素と平面サイズが相違している。本形態において、緑色用第２サブ画素Ｓｐ2（Ｇ）は、赤色用第２サブ画素Ｓｐ2（Ｒ）、緑色用第２サブ画素Ｓｐ2（Ｇ）およびマゼンダ色用第２サブ画素Ｓｐ2（Ｍ）より平面サイズが大きい。より具体的には、緑色用第２サブ画素Ｓｐ2（Ｇ）は、赤色用第２サブ画素Ｓｐ2（Ｒ）、緑色用第２サブ画素Ｓｐ2（Ｇ）およびマゼンダ色用第２サブ画素Ｓｐ2（Ｍ）とデータ線３の延在方向の寸法は等しいが、緑色用第２サブ画素Ｓｐ2（Ｇ）の走査線２の延在方向の幅ＷＧは、赤色用第２サブ画素Ｓｐ2（Ｒ）、青色用第２サブ画素Ｓｐ2（Ｂ）およびマゼンダ色用第２サブ画素Ｓｐ2（Ｍ）の走査線２の延在方向の幅ＷＲ、ＷＢ、ＷＭより広い。なお、赤色用第２サブ画素Ｓｐ2（Ｒ）、緑色用第２サブ画素Ｓｐ2（Ｇ）およびマゼンダ色用第２サブ画素Ｓｐ2（Ｍ）は平面サイズが等しい。
【００５５】
第３画素Ｐｘ3でも、第１画素Ｐｘ1および第２画素Ｐｘ2と同様、赤色用第３サブ画素Ｓｐ3（Ｒ）、緑色用第３サブ画素Ｓｐ3（Ｇ）、青色用第３サブ画素Ｓｐ3（Ｂ）、およびシアン色用第３サブ画素Ｓｐ3（Ｃ）からなる第３サブ画素群のうちのいずれかの第３サブ画素は他の第３サブ画素と平面サイズが相違している。本形態において、緑色用第３サブ画素Ｓｐ3（Ｇ）は、赤色用第３サブ画素Ｓｐ3（Ｒ）、緑色用第３サブ画素Ｓｐ3（Ｇ）およびシアン色用第３サブ画素Ｓｐ3（Ｃ）より平面サイズが大きい。より具体的には、緑色用第３サブ画素Ｓｐ3（Ｇ）は、赤色用第３サブ画素Ｓｐ3（Ｒ）、緑色用第３サブ画素Ｓｐ3（Ｇ）およびシアン色用第３サブ画素Ｓｐ3（Ｃ）とデータ線３の延在方向の寸法は等しいが、緑色用第３サブ画素Ｓｐ3（Ｇ）の走査線２の延在方向の幅ＷＧは、赤色用第３サブ画素Ｓｐ3（Ｒ）、青色用第３サブ画素Ｓｐ3（Ｂ）およびシアン色用第３サブ画素Ｓｐ3（Ｃ）の走査線２の延在方向の幅ＷＲ、ＷＢ、ＷＣより広い。なお、赤色用第３サブ画素Ｓｐ3（Ｒ）、緑色用第３サブ画素Ｓｐ3（Ｇ）およびシアン色用第３サブ画素Ｓｐ3（Ｃ）は平面サイズが等しい。
【００５６】
また、赤色用第１サブ画素Ｓｐ1（Ｒ）、赤色用第２サブ画素Ｓｐ2（Ｒ）および赤色用第３サブ画素Ｓｐ3（Ｒ）は平面サイズが等しく、緑色用第１サブ画素Ｓｐ1（Ｇ）、緑色用第２サブ画素Ｓｐ2（Ｇ）および緑色用第３サブ画素Ｓｐ3（Ｇ）は平面サイズが等しく、青色用第１サブ画素Ｓｐ1（Ｂ）、青色用第２サブ画素Ｓｐ2（Ｂ）および青色用第３サブ画素Ｓｐ3（Ｂ）は平面サイズが等しい。また、補色用サブ画素（黄色用第１サブ画素Ｓｐ1（Ｙ）、マゼンダ色用第２サブ画素Ｓｐ2（Ｍ）およびシアン色用第３サブ画素Ｓｐ3（Ｃ））は平面サイズが等しい。それ故、緑色（Ｇ）用のデータ線３（Ｇ）と青色（Ｂ）用のデータ線３（Ｂ）との間隔は、他のデータ線３の間隔より広い。また、緑色（Ｇ）用のデータ線３（Ｇ）と青色（Ｂ）用のデータ線３（Ｂ）との間隔以外のデータ線３の間隔はいずれも等しい。
【００５７】
（本形態の主な効果）
以上説明したように、本形態の電気光学装置１００では、第１画素Ｐｘ1、第２画素Ｐｘ2および第３画素Ｐｘ3に３原色のサブ画素（赤色用サブ画素、緑色用サブ画素および青色用サブ画素）が設けられている。また、第１画素Ｐｘ1には、青色（Ｂ）と補色関係にある黄色用第１サブ画素Ｓｐ1（Ｙ）が設けられ、第２画素Ｐｘ2には、緑色（Ｇ）と補色関係にあるマゼンダ色用第２サブ画素Ｓｐ2（Ｍ）が設けられ、第３画素Ｐｘ3には、赤色（Ｒ）と補色関係にあるシアン色用第３サブ画素Ｓｐ3（Ｃ）が設けられている。このため、色再現範囲を拡大することができる。
【００５８】
ここで、第１画素Ｐｘ1、第２画素Ｐｘ2および第３画素Ｐｘ3は、単位画素群ＰＧにおいて走査線２に沿って配置され、第１画素Ｐｘ1、第２画素Ｐｘ2および第３画素Ｐｘ3において、サブ画素Ｓｐが走査線２に沿って配置されている。このため、同色のサブ画素Ｓｐはデータ線３に沿って配列されている。従って、インクジェット法やフォトリソグラフィ技術によりカラーフィルター２７を形成する際、同色のカラーフィルター２７をデータ線３に沿って設ければよい。従って、３原色に対応するサブ画素Ｓｐに加えて、３種類の補色用のサブ画素Ｓｐを設ける場合でも、高い生産効率を得ることができる。
【００５９】
また、同色のカラーフィルター２７は、データ線３に沿って設けられているため、特定の色に対応するサブ画素Ｓｐの平面サイズを変更するにあたっては、当該色に対応するサブ画素Ｓｐの幅（走査線２が延在している方向の寸法）を変更すればよい。また、サブ画素Ｓｐの幅を変更するだけでよいので、画素Ｐｘ内でサブ画素Ｓｐを格子状に配置した場合と違って、表示に寄与しない部分が発生しにくいという利点がある。
【００６０】
また、本形態では、分光特性の優れた緑色（Ｇ）用のサブ画素Ｓｐ（緑色用第１サブ画素Ｓｐ1（Ｇ）、緑色用第２サブ画素Ｓｐ2（Ｇ）および緑色用第３サブ画素Ｓｐ3（Ｇ））の平面サイズを、他の色に対応するサブ画素Ｓｐより平面サイズより大きくしている。このため、品位の高い画像を表示することができる。
【００６１】
［実施の形態２］
図４は、本発明の実施の形態２に係る電気光学装置１００に設けた画素Ｐｘの説明図である。なお、本形態の基本的な構成は実施の形態１と同様であるため、共通する部分には同一の符号を付してそれらの説明を省略する。
【００６２】
図４に示すように、本形態でも、実施の形態１と同様、走査線２の延在方向（Ｘ方向）に配列された第１画素Ｐｘ1、第２画素Ｐｘ2および第３画素Ｐｘ3からなる３つの画素Ｐｘを含む単位画素群ＰＧが走査線２の延在方向およびデータ線３の延在方向に沿って複数配列されている。また、第１画素Ｐｘ1、第２画素Ｐｘ2および第３画素Ｐｘ3は各々、３原色を構成する赤色Ｒ、緑色Ｇおよび青色Ｂの光を各々出射する３つのサブ画素Ｓｐに加えて、赤色Ｒ、緑色Ｇおよび青色Ｂに対して補色の関係を有する色の光を出射する補色用のサブ画素Ｓｐを含んでいる。
【００６３】
具体的には、第１画素Ｐｘ1では、赤色用第１サブ画素Ｓｐ1（Ｒ）、緑色用第１サブ画素Ｓｐ1（Ｇ）、青色用第１サブ画素Ｓｐ1（Ｂ）、および黄色用第１サブ画素Ｓｐ1（Ｙ）が走査線２の延在方向に配列されている。本形態において、第１画素Ｐｘ1では、走査線２の延在方向に向かって、赤色用第１サブ画素Ｓｐ1（Ｒ）、黄色用第１サブ画素Ｓｐ1（Ｙ）、緑色用第１サブ画素Ｓｐ1（Ｇ）および青色用第１サブ画素Ｓｐ1（Ｂ）の順に配列されている。このため、第１画素Ｐｘ1において、黄色用第１サブ画素Ｓｐ1（Ｙ）は、走査線２の延在方向において、赤色用第１サブ画素Ｓｐ1（Ｒ）および緑色用第１サブ画素Ｓｐ1（Ｇ）と隣り合う位置に配置されている。
【００６４】
第２画素Ｐｘ2では、赤色用第２サブ画素Ｓｐ2（Ｒ）、緑色用第２サブ画素Ｓｐ2（Ｇ）、青色用第２サブ画素Ｓｐ2（Ｂ）、およびマゼンダ色用第２サブ画素Ｓｐ2（Ｍ）が走査線２の延在方向に配列されている。本形態において、第２画素Ｐｘ2では、走査線２の延在方向に向かって、赤色用第２サブ画素Ｓｐ2（Ｒ）、マゼンダ色用第２サブ画素Ｓｐ2（Ｍ）、青色用第２サブ画素Ｓｐ2（Ｂ）および緑色用第２サブ画素Ｓｐ2（Ｇ）の順に配列されている。このため、第２画素Ｐｘ2において、マゼンダ色用第２サブ画素Ｓｐ2（Ｍ）は、走査線２の延在方向において、赤色用第２サブ画素Ｓｐ2（Ｒ）および青色用第２サブ画素Ｓｐ2（Ｂ）と隣り合う位置に配置されている。
【００６５】
第３画素Ｐｘ3では、赤色用第３サブ画素Ｓｐ3（Ｒ）、緑色用第３サブ画素Ｓｐ3（Ｇ）、青色用第３サブ画素Ｓｐ3（Ｂ）、およびシアン色用第３サブ画素Ｓｐ3（Ｃ）が走査線２の延在方向に配列されている。本形態において、第３画素Ｐｘ3では、走査線２の延在方向に向かって、赤色用第３サブ画素Ｓｐ3（Ｒ）、緑色用第３サブ画素Ｓｐ3（Ｇ）、シアン色用第３サブ画素Ｓｐ3（Ｃ）および青色用第３サブ画素Ｓｐ3（Ｂ）の順に配列されている。このため、第３画素Ｐｘ3において、シアン色用第３サブ画素Ｓｐ3（Ｃ）は、走査線２の延在方向において、緑色用第３サブ画素Ｓｐ3（Ｇ）および青色用第３サブ画素Ｓｐ3（Ｂ）と隣り合う位置に配置されている。
【００６６】
このように、本形態では、隣り合うサブ画素Ｓｐは、色相環（color circle）において近接する色の光を出射するため、混色した光の視野角特性を向上することができる。また、本形態でも、実施の形態１と同様、分光特性の優れた緑色（Ｇ）用のサブ画素Ｓｐ（緑色用第１サブ画素Ｓｐ1（Ｇ）、緑色用第２サブ画素Ｓｐ2（Ｇ）および緑色用第３サブ画素Ｓｐ3（Ｇ））の平面サイズを、他の色に対応するサブ画素Ｓｐより平面サイズより大きくしている。このため、品位の高い画像を表示することができる。
【００６７】
［実施の形態３］
図５は、本発明の実施の形態３に係る電気光学装置１００に設けた画素Ｐｘの説明図であり、図５（ａ）には本形態の第１構成例が示され、図５（ｂ）には本形態の第２構成例が示されている。なお、本形態の基本的な構成は実施の形態１と同様であるため、共通する部分には同一の符号を付してそれらの説明を省略する。
【００６８】
実施の形態１、２では、単位画素群ＰＧには、走査線２の延在方向（Ｘ方向）に配列された第１画素Ｐｘ1、第２画素Ｐｘ2および第３画素Ｐｘ3からなる３つの画素Ｐｘを備えていた。これに対して、本形態では、図５（ａ）、（ｂ）に示すように、単位画素群ＰＧは、走査線２の延在方向（Ｘ方向）に配列された第１画素Ｐｘ1、第２画素Ｐｘ2、第３画素Ｐｘ3および第４画素Ｐｘ4からなる４つの画素Ｐｘを備えている。
【００６９】
ここで、第４画素Ｐｘ4は、黄色、マゼンダ色およびシアン色のいずれかの光を出射する補色用第４サブ画素を備えている。本形態において、第４画素Ｐｘ4では、赤色用第４サブ画素Ｓｐ4（Ｒ）、緑色用第４サブ画素Ｓｐ4（Ｇ）、青色用第４サブ画素Ｓｐ4（Ｂ）、および黄色用第４サブ画素Ｓｐ4（Ｙ）が走査線２の延在方向に配列されており、黄色用第４サブ画素Ｓｐ4（Ｙ）が補色用第４サブ画素に相当する。
【００７０】
本形態において、図５（ａ）に示す構成例１では、単位画素群ＰＧにおいては、走査線２の延在方向（Ｘ方向）に沿って、第４画素Ｐｘ4、第１画素Ｐｘ1、第２画素Ｐｘ2および第３画素Ｐｘ3が順に配置されている。これに対して、図５（ｂ）に示す構成例１では、単位画素群ＰＧにおいては、走査線２の延在方向（Ｘ方向）に沿って、第１画素Ｐｘ1、第２画素Ｐｘ2、第４画素Ｐｘ4、および第３画素Ｐｘ3が順に配置されている。
【００７１】
かかる構成によれば、単位画素群ＰＧにおいて、３原色に対する補色のうち、黄色（Ｙ）の光を出射するサブ画素Ｓｐが多く配置されているので、明るく感じる画像を表示することができる。なお、本形態でも、実施の形態１、２と同様、分光特性の優れた緑色（Ｇ）用のサブ画素Ｓｐの平面サイズを、他の色に対応するサブ画素Ｓｐより平面サイズより大きくした構成を採用することが好ましい。また、本形態でも、実施の形態２と同様、隣り合うサブ画素Ｓｐは、色相環（color circle）において近接する色の光を出射するように構成してもよい。
【００７２】
［別の実施の形態］
上記実施の形態では、単位画素群ＰＧにおいて、走査線２の延在方向に沿って、第１画素Ｐｘ1、第２画素Ｐｘ2および第３画素Ｐｘ3が順に配置されていたが、単位画素群ＰＧにおける第１画素Ｐｘ1、第２画素Ｐｘ2および第３画素Ｐｘ3の配列順は、上記形態に限らず、例えば、第２画素Ｐｘ2、第１画素Ｐｘ1および第３画素Ｐｘ3の順等であってもよい。
【００７３】
［他の電気光学装置］
上記実施の形態では、電気光学装置１００として液晶装置を例に挙げて説明したが、本発明はこれに限定されず、有機エレクトロルミネッセンス表示装置、プラズマディスプレイ、ＦＥＤ（Field Emission Display）、ＳＥＤ（Surface-Conduction Electron-Emitter Display）、ＬＥＤ（発光ダイオード）表示装置、電気泳動表示装置等の電気光学装置に本発明を適用してもよい。
【００７４】
［電子機器への搭載例］
上記実施の形態に係る電気光学装置１００は、例えば、以下の電子機器に用いることができる。
【００７５】
図６は、本発明を適用した電気光学装置を用いたヘッドマウント・ディスプレイ（ＨＭＤ）の説明図であり、図６（ａ）にはヘッドマウント・ディスプレイの外観を示し、図６（ｂ）には、その光学的な構成を示してある。
【００７６】
図６に示すヘッドマウント・ディスプレイ１０００は、外観的には、一般的な眼鏡と同様にテンプル１０１０や、ブリッジ１０２０、レンズ１００１Ｌ、１００１Ｒを有する。また、ヘッドマウント・ディスプレイ１０００は、図６（ｂ）に示すように、ブリッジ１０２０近傍であってレンズ１００１Ｌ、１００１Ｒの奥側（図において下側）には、左眼用の電気光学装置１００Ｌと右眼用の電気光学装置１００Ｒとが設けられている。電気光学装置１００Ｌ、１００Ｒは各々、図１等を参照して説明した液晶パネル１００ｐとバックライト装置（図示せず）とを備えている。
【００７７】
電気光学装置１００Ｌの画像表示面は、図６（ｂ）において左側となるように配置している。これによって電気光学装置１００Ｌによる表示画像は、光学レンズ１００２Ｌを介して左側に出射する。ハーフミラー１００３Ｌは、電気光学装置１００Ｌによる表示画像を装着者の左眼に向けて反射する一方、外界から入射した光を透過させる。
【００７８】
電気光学装置１００Ｒの画像表示面は、電気光学装置１００Ｌとは反対の右側となるように配置している。これによって電気光学装置１００Ｒによる表示画像は、光学レンズ１００２Ｒを介して右側の方向に出射する。ハーフミラー１００３Ｒは、電気光学装置１００Ｒによる表示画像を装着者の右眼に向けて反射する一方、外界から入射した光を透過させる。
【００７９】
この構成において、ヘッドマウント・ディスプレイ１０００の装着者は、電気光学装置
１００Ｌ、１００Ｒによる表示画像を、外の様子と重ね合わせたシースルー状態で観察することができる。また、ヘッドマウント・ディスプレイ１０００において、視差を伴う両眼画像のうち、左眼用画像を電気光学装置１００Ｌに表示させ、右眼用画像を電気光学装置１００Ｒに表示させると、装着者に対して、表示された画像があたかも奥行きや立体感を持つかのように知覚させることができる。
【００８０】
（直視型表示装置）
図７は、本発明を適用した電気光学装置１００を直視型の表示装置として用いた電子機器の説明図であり、図７（ａ）には、可搬型のパーソナルコンピューター（電子機器）が示され、図７（ｂ）には携帯電話機（電子機器）が示されている。
【００８１】
図７（ａ）に示すパーソナルコンピューター２０００は、各種の画像を表示
する電気光学装置１００と、電源スイッチ２００１およびキーボード２００２が設置された本体部２００３とを有している。図７（ｂ）に示す携帯電話機３０００は、複数の操作ボタン３００１およびスクロールボタン３００２と、各種の画像を表示する電気光学装置１００とを備えている。スクロールボタン３００２を操作することによって、電気光学装置１００に表示される画面がスクロールされる。
【００８２】
なお、本発明に係る発光装置が適用される電子機器としては、上記の電子機器の他、携帯情報端末（ＰＤＡ：Personal Digital Assistants）、デジタルスチルカメラ、テレビ、ビデオカメラ、カーナビゲーション装置、車載用の表示器、電子手帳、電子ペーパー、電卓、ワードプロセッサ、ワークステーション、テレビ電話、ＰＯＳ端末、プリンター、スキャナー、複写機、ビデオプレーヤー、タッチパネルを備えた機器等などが挙げられる。
【符号の説明】
【００８３】
２・・走査線、３、３（Ｂ）、３（Ｃ）、３（Ｇ）、３（Ｍ）、３（Ｒ）、３（Ｙ）・・データ線、９・・画素電極、１０・・第１基板、１０ａ・・表示領域、２０・・第２基板、２１・・共通電極、２７・・カラーフィルター、３０・・画素スイッチング素子、５０・・液晶層、１００・・電気光学装置、１００ｐ・・液晶パネル、ＰＧ・・単位画素群、Ｐｘ・・画素、Ｐｘ1・・第１画素、Ｐｘ2・・第２画素、Ｐｘ3・・第３画素、Ｐｘ4・・第４画素、Ｓｐ・・サブ画素、Ｓｐ1（Ｙ）・・黄色用第１サブ画素、Ｓｐ1（Ｒ）・・赤色用第１サブ画素、Ｓｐ1（Ｇ）・・緑色用第１サブ画素、Ｓｐ1（Ｂ）・・青色用第１サブ画素、Ｓｐ2（Ｍ）・・マゼンダ色用第２サブ画素、Ｓｐ2（Ｒ）・・赤色用第２サブ画素、Ｓｐ2（Ｇ）・・緑色用第２サブ画素、Ｓｐ2（Ｂ）・・青色用第２サブ画素、Ｓｐ3（Ｃ）・・シアン色用第３サブ画素、Ｓｐ3（Ｒ）・・赤色用第３サブ画素、Ｓｐ3（Ｇ）・・緑色用第３サブ画素、Ｓｐ3（Ｂ）・・青色用第３サブ画素 
【図１】
2015138217.tif 000003
【図２】
2015138217.tif 000004
【図５】
2015138217.tif 000005
【図６】
2015138217.tif 000006
【図７】
2015138217.tif 000007
【図３】
2015138217.tif 000008
【図４】
2015138217.tif 000009